(57)【特許請求の範囲】
【請求項１】
電気信号を光信号に変換する光送信サブアセンブリ、及び、光信号を電気信号に変換する光受信サブアセンブリを含む複数の光サブアセンブリと、
前記複数の光サブアセンブリに電気的に接続された回路基板と、
外部からの光コネクタプラグと前記複数の光サブアセンブリとを光学的に結合する複数のスリーブ、及び、該複数のスリーブと該光コネクタプラグとを受容する空間を画成する樹脂製の光レセプタクルを有する光レセプタクルアセンブリと、
第１の方向に順に、前記光レセプタクルを搭載する光レセプタクル搭載部、及び、前記回路基板を搭載する回路基板搭載部を有するハウジングと、
を備える光トランシーバであって、
前記複数のスリーブは、前記第１の方向に延びる筒状の部材であり、該第１の方向に順に第１の部分、フランジ、及び、第２の部分を含み、該フランジの径は、該第１の部分の径及び該第２の部分の径より大きく、
前記光レセプタクルは、前記第１の方向に交差する面に沿って設けられた後壁部であり前記フランジが当接する該後壁部を有し、該後壁部には、該光レセプタクルの前記空間に通じる孔、及び、該孔の周囲において前記フランジが嵌る凹部が設けられており、
前記ハウジングは、前記光レセプタクル搭載部を画成する第１の壁であって前記第１の方向に交差する面に沿って設けられた該第１の壁を有し、
該光トランシーバは、
弾性及び導電性を有するシールドシートであり、前記光レセプタクルの前記後壁部と前記ハウジングの前記第１の壁との間に狭持される該シールドシートと、
前記光レセプタクルの前記空間の開口端を露出させるための開口が形成されており、前記ハウジングに固定されるフロントカバーであって、前記光レセプタクルを前記ハウジングの前記第１の壁に向けて押圧する押圧部を有する、該フロントカバーと、
を更に備える、
光トランシーバ。
【請求項２】
前記ハウジングは、前記光レセプタクル搭載部を前記第１の方向に直交する第２の方向から画成する一対の第２の壁を有しており、
前記一対の第２の壁のそれぞれには、溝が形成されており、
前記光レセプタクルは、前記一対の第２の壁に対面する一対の側壁部を含んでおり、
前記光レセプタクルは、前記一対の側壁部に形成された一対の押圧部であり、前記第２の壁の前記溝に挿入され、該溝を画成する面に当接して該光レセプタクルを前記ハウジングの前記第１の壁に向けて押圧する該一対の押圧部を有する、
請求項１に記載の光トランシーバ。
【請求項３】
前記光レセプタクルの前記一対の押圧部は、前記第２の方向に延びる軸線中心に揺動又は枢動可能なバネ構造を含む、請求項２に記載の光トランシーバ。
【請求項４】
前記光レセプタクルの前記一対の押圧部は、前記一対の溝を画成する面に当接して変形する部分を含む、請求項２に記載の光トランシーバ。
【請求項５】
前記一対の第２の壁に形成された二つの前記溝は、前記第１の方向において互いに異なる位置に設けられている、請求項２〜４の何れか一項に記載の光トランシーバ。
【請求項６】
前記シールドシートには、前記フランジが嵌る孔が形成されており、
前記フランジを前記シールドシートの前記孔に嵌める前の状態において、前記シールドシートの前記孔の径は、前記フランジの径より小さい、請求項１〜５の何れか一項に記載の光トランシーバ。
【請求項７】
前記シールドシートは、導電性不織布を含む、請求項１〜６の何れか一項に記載の光トランシーバ。
【請求項８】
前記シールドシートは、ゴム製のシートと導電性のシートとから構成されており、該導電性のシートが前記ハウジングの前記第１の壁に当接する、請求項１〜７の何れか一項に記載の光トランシーバ。
【請求項９】
前記レセプタクルの前記後壁部は、前記シールドシートが当接する面において前記第１の方向に突出した隆起部を含んでいる、請求項１〜８の何れか一項に記載の光トランシーバ。
【請求項１０】
前記ハウジングは、前記光レセプタクルとして、ＳＣ型の光レセプタクル及びＬＣ型の光レセプタクルを交換可能に搭載することができ、
前記ＳＣ型の光レセプタクル及び前記ＬＣ型の光レセプタクルは、前記スリーブとして一対のスリーブを有しており、
前記ハウジングの前記第１の壁には、前記ＳＣ型の光レセプタクルの一対のスリーブの前記第２の部分が通る一対の第１の溝、及び、前記ＬＣ型の光レセプタクルの一対のスリーブの前記第２の部分が通る一対の第２の溝が形成されている、
請求項１〜９の何れか一項に記載の光トランシーバ。
【請求項１１】
前記ハウジングは、前記第１の方向及び前記第２の方向に直交する第３の方向に分離可能な第１のハウジング部及び第２のハウジング部を含んでおり、
前記第１のハウジング部は、前記第３の方向における一方側から前記回路基板及び前記光レセプタクルを覆い、前記第２のハウジング部は、前記第３の方向における他方側から前記回路基板及び前記光レセプタクルを覆い、
該光トランシーバは、前記第１のハウジング部と前記第２のハウジング部との間に狭持される導電性のガスケットを更に備え、
前記ガスケットは、前記シールドシートに接触するように延在する、
請求項１〜１０の何れか一項に記載の光トランシーバ。
【請求項１２】
前記光レセプタクルは、前記第３の方向に交差する上壁部及び下壁部を含んでおり、
前記上壁部及び下壁部の少なくとも一方は、前記第１のハウジング部と前記第２のハウジング部とによって狭持されることにより変形する複数の突起を含んでいる、
請求項１〜１１の何れか一項に記載の光トランシーバ。
【発明の詳細な説明】
【技術分野】
【０００１】
本発明は、光トランシーバに関するものである。
【背景技術】
【０００２】
光トランシーバとしては、下記特許文献１〜３に記載された光トランシーバが知られている。これら文献に記載された光トランシーバは、光送信サブアセンブリ、光受信サブアセンブリ、回路基板、光レセプタクル、及び、ハウジングを備えている。
【０００３】
光送信サブアセンブリ及び光受信サブアセンブリは、回路基板に電気的に接続されている。ハウジングは、光送信サブアセンブリ、光受信サブアセンブリ、及び、回路基板を覆うように、これらを搭載している。光レセプタクルは、光送信サブアセンブリ及び光受信サブアセンブリと外部からの光コネクタプラグとを光学的に結合するための部品であり、光送信サブアセンブリ及び光受信サブアセンブリのスリーブを収容しており、ハウジングに取り付けられている。
【０００４】
これら光トランシーバでは、光レセプタクルは、電磁シールドのために、金属メッキを施した樹脂製の部材となっている。
【先行技術文献】
【特許文献】
【０００５】
【特許文献１】米国特許第６，０８５，００６号明細書
【特許文献２】米国特許第７，１９５，４０３号明細書
【特許文献３】特開２００８−２５０５６０号明細書
【発明の概要】
【発明が解決しようとする課題】
【０００６】
ところで、ＳＣ型の光レセプタクルといった光レセプタクルは、光コネクタプラグが係合するラッチ構造を有している。この場合に、光レセプタクルは、このラッチの強度及びコストの観点からは、金属メッキを有さない樹脂製であることが望ましい。また、樹脂製の光レセプタクルを有する光トランシーバであっても、当該光トランシーバは、光レセプタクルとハウジングとの間の電磁シールド機能を有することが求められる。
【０００７】
本発明は、樹脂製の光レセプタクルを有し、当該光レセプタクルとハウジングとの間の電磁シールド性能を有する光トランシーバを提供することを目的としている。
【課題を解決するための手段】
【０００８】
本発明の一態様に係る光トランシーバは、複数の光サブアセンブリ、回路基板、光レセプタクルアセンブリ、及び、ハウジングを備える。複数の光サブアセンブリは、電気信号を光信号に変換する複数の光送信サブアセンブリ、及び、光信号を電気信号に変換する複数の光受信サブアセンブリを含む。回路基板は、複数の光サブアセンブリに電気的に接続されている。光レセプタクルアセンブリは、複数のスリーブ及び光レセプタクルを有する。複数のスリーブは、外部からの光コネクタプラグと光サブアセンブリとを光学的に結合するための部材である。光レセプタクルは、複数のスリーブと光コネクタプラグとを受容する空間を画成する樹脂製の部材である。ハウジングは、第１の方向に順に、光レセプタクルを搭載する光レセプタクル搭載部、及び、回路基板を搭載する回路基板搭載部を有する。スリーブは、第１の方向に延びる筒状の部材である。複数のスリーブは、第１の方向に順に第１の部分、フランジ、及び、第２の部分を含んでいる。フランジの径は、第１の部分の径及び第２の部分の径より大きい。光レセプタクルは、第１の方向に交差する面に沿って設けられた後壁部を含んでいる。この後壁部には、フランジが当接する。後壁部には、光レセプタクルの上記空間に通じる孔、及び、当該孔の周囲においてフランジが嵌る凹部が設けられている。ハウジングは、光レセプタクル搭載部を画成する第１の壁を有する。第１の壁は、第１の方向に交差する面に沿って設けられている。この光トランシーバは、シールドシート、及び、フロントカバーを更に備えている。シールドシートは、弾性及び導電性を有し、光レセプタクルの後壁部とハウジングの第１の壁との間に狭持される。フロントカバーには、光レセプタクルの上記空間の開口端（光コネクタプラグを挿入するための開口端）を露出させるための開口が形成されている。フロントカバーは、ハウジングに固定され、光レセプタクルをハウジングの第１の壁に向けて押圧する押圧部を有する。
【０００９】
この光トランシーバによれば、光レセプタクルの後壁部とハウジングの第１の壁との間にシールドシートが狭持されるので、光レセプタクルとハウジングとの間に電磁シールド機能が提供される。
【００１０】
一実施形態においては、ハウジングは、光レセプタクル搭載部を第１の方向に直交する第２の方向から画成する一対の第２の壁を有していてもよく、一対の第２の壁のそれぞれには、溝が形成されていてもよく、光レセプタクルは、一対の第２の壁に対面する一対の側壁部を含んでいてもよく、光レセプタクルは、一対の側壁部に形成された一対の押圧部であり、第２の壁の溝に挿入され、当該溝を画成する面に当接して光レセプタクルをハウジングの第１の壁に向けて押圧する該一対の押圧部を有していてもよい。この実施形態の光トランシーバによれば、フロントカバーによって発揮される力により光レセプタクルをハウジングに固定する前に、押圧部を第２の壁の溝に挿入することにより、光レセプタクルを、ハウジングに対して仮固定することができる。したがって、光トランシーバの生産性が向上される。
【００１１】
一実施形態においては、光レセプタクルの一対の押圧部は、第２の方向に延びる軸線中心に揺動又は枢動可能なバネ構造を含んでいてもよい。また、一実施形態においては、光レセプタクルの一対の押圧部は、一対の溝を画成する面に当接して変形する部分を含んでいてもよい。
【００１２】
一実施形態においては、一対の第２の壁に形成された上述した二つの溝は、第１の方向において互いに異なる位置に設けられていてもよい。この場合に、光レセプタクルの一対の押圧部は、一対の側壁部において当該二つの溝に対応した位置に形成され得る。かかる形態の光トランシーバによれば、光レセプタクルのハウジングに対する取り付け方向の誤りが防止される。
【００１３】
一実施形態においては、シールドシートには、フランジが嵌る孔が形成されていてもよく、フランジをシールドシートの孔に嵌める前の状態において、シールドシートの孔の径はフランジの径より小さくてもよい。この形態の光トランシーバによれば、シールドシートのスリーブへの密着度が高められ、その結果、電磁シールド性能がより向上される。
【００１４】
一実施形態においては、シールドシートは、導電性不織布であってもよい。一実施形態においては、シールドシートは、ゴム製のシートと導電性のシートとから構成されており、導電性のシートがハウジングの第１の壁に当接してもよい。
【００１５】
一実施形態においては、レセプタクルの後壁部は、シールドシートが当接する面において第１の方向に突出した隆起部を含んでいてもよい。この形態の光トランシーバによれば、シールドシートとハウジングの第１の壁がより確実に密着され、その結果、電磁シールド性能がより向上される。
【００１６】
一実施形態においては、ハウジングは、光レセプタクルとして、ＳＣ型の光レセプタクル及びＬＣ型の光レセプタクルを交換可能に搭載することができ、ＳＣ型の光レセプタクル及びＬＣ型の光レセプタクルは、スリーブとして一対のスリーブを有することができ、ハウジングの第１の壁には、ＳＣ型の光レセプタクルの一対のスリーブの第２の部分が通る一対の第１の溝、及び、ＬＣ型の光レセプタクルの一対のスリーブの第２の部分が通る一対の第２の溝が形成されていてもよい。上述した光トランシーバは、光レセプタクルをハウジングとは別の部品として備えているので、ハウジングに第１の溝及び第２の溝を形成することによって、ＳＣ型の光レセプタクル及びＬＣ型の光レセプタクルをハウジングに交換可能に搭載することが可能である。
【００１７】
一実施形態においては、ハウジングは、第１の方向及び第２の方向に直交する第３の方向に分離可能な第１のハウジング部及び第２のハウジング部を含んでいてもよく、第１のハウジング部は、第３の方向における一方側から回路基板及び光レセプタクルを覆い、第２のハウジング部は、第３の方向における他方側から回路基板及び光レセプタクルを覆い、当該光トランシーバは、第１のハウジング部と第２のハウジング部との間に狭持される導電性のガスケットを更に備えてもよく、ガスケットは、シールドシートに接触するように延在していてもよい。このようにハウジングを二つの部分に分離しても、ガスケットがシールドシートに当接することによって、ハウジングと光レセプタクルの間の電磁シールド性能を維持することが可能である。
【００１８】
一実施形態においては、光レセプタクルは、第３の方向に交差する上壁部及び下壁部を含んでおり、上壁部及び下壁部の少なくとも一方は、第１のハウジング部と第２のハウジング部とによって狭持されることにより変形する複数の突起を含んでいてもよい。この実施形態の光トランシーバによれば、光レセプタクル搭載部において光レセプタクルがより強固に固定される。
【発明の効果】
【００１９】
以上説明したように、本発明によれば、樹脂製の光レセプタクルを有し、当該光レセプタクルとハウジングとの間の電磁シールド性能を有する光トランシーバが提供される。
【図面の簡単な説明】
【００２０】
【図１】一実施形態に係る光トランシーバの斜視図である。
【図２】図１に示す光トランシーバの分解斜視図である。
【図３】図１に示す光トランシーバから第２のハウジング部及びフロントカバーを取り除いた状態を示す斜視図である。
【図４】一実施形態に係る第１のハウジング部の斜視図である。
【図５】一実施形態に係る第１のハウジング部の一部を前方から見た平面図である。
【図６】一実施形態に係る光レセプタクルアセンブリを示す斜視図である。
【図７】一実施形態に係るスリーブの斜視図である。
【図８】一実施形態に係る光レセプタクル及びシールドシートの斜視図である
【図９】光レセプタクルアセンブリを第１のハウジング部に組み込む工程を示す斜視図である。
【図１０】一実施形態に係るフロントカバーの斜視図である。
【図１１】一実施形態に係る第２のハウジング部及びガスケットの斜視図である。
【図１２】一実施形態に係る光トランシーバの前方側の部分を第２のハウジング部を取り除いて示す平面図である。
【図１３】図１のＸＩＩＩ−ＸＩＩＩ線に沿う断面図である。
【図１４】一実施形態の光トランシーバに搭載し得る別の光レセプタクルアセンブリを示す斜視図である。
【図１５】別の実施形態に係る光レセプタクルを示す斜視図である。
【図１６】別の実施形態に係る光レセプタクルを示す斜視図である。
【図１７】別の実施形態に係る光レセプタクルの前方側の部分を、第２のハウジング部を取り除いて示す平面図である。
【図１８】別の実施形態に係るシールドシートを示す側面図である。
【発明を実施するための形態】
【００２１】
以下、図面を参照して本発明の好適な実施形態について詳細に説明する。なお、各図面において同一又は相当の部分に対しては同一の符号を附すこととする。
【００２２】
図１は、一実施形態に係る光トランシーバの斜視図である。図２は、図１に示す光トランシーバの分解斜視図である。なお、以下の説明では、方向を示す用語として、「前」を、回路基板を搭載する光トランシーバのハウジングの回路基板搭載領域に対して光レセプタクルを搭載する当該ハウジング光レセプタクル搭載領域が位置する方向を示す語として用い、また、「後」をその逆方向を示す語として用いる。また、前後方向を第１の方向ということがある。また、「第２の方向」を、前後方向（第１の方向）に交差する方向であって、光送信サブアセンブリと光受信サブアセンブリが並ぶ方向を示す語として用いる。また、「第３の方向を」、第１の方向及び第２の方向に交差する方向を示す語として用いる。また、第３の方向を上下方向ということがある。
【００２３】
図１及び図２に示す光トランシーバ１０は、光送信サブアセンブリ（ＴＯＳＡ）１２、光受信サブアセンブリ（ＲＯＳＡ）１４、回路基板１６、光レセプタクルアセンブリ１８、ハウジング２０、シールドシート２２、及び、フロントカバー２４を備えている。
【００２４】
また、一実施形態においては、光トランシーバ１０は、光マルチプレクサ２６、光デマルチプレクサ２８、プラグコネクタ３０、一対のプラグホルダ３２、ガスケット３４、一対のガスケット３６、フロントトレイ３８、リアトレイ４０、コネクタ４２、ホルダ４４、及びねじ４６を備え得る。
【００２５】
光トランシーバ１０は、プラグコネクタ３０の電気コネクタをホストシステムの電気コネクタソケットに接続することによって利用されるものである。光トランシーバ１０は、ねじ４６を、ホストシステムに螺合することによって、ホストシステムに対して固定される。
【００２６】
ＴＯＳＡ  １２は、回路基板からの電気信号を光信号に変換する。ＴＯＳＡ  １２は、半導体レーザを備え得る。ＲＯＳＡ  １４は、受信した光信号を電気信号に変換して、当該電気信号を回路基板に出力する。ＲＯＳＡ  １４は、フォトダイオードを備え得る。
【００２７】
光トランシーバ１０は、四つのＴＯＳＡ  １２、及び、四つのＲＯＳＡ  １４を備え得る。光トランシーバ１０では、ＴＯＳＡ  １２は、第２の方向（Ｙ方向）における一方側（即ち、送信側）において第２の方向に並べられており、ＲＯＳＡ１４は、他方側（即ち、受信側）において、第２の方向に並べられている。本光トランシーバ１０は、四つのＴＯＳＡ  １２によって互いに異なる波長を有する四つの光信号を生成し、これら四つの光信号を多重化することにより生成される多重化光信号を、外部からの光コネクタプラグに提供することができる。また、光トランシーバ１０は、光コネクタプラグからの多重化光信号を四つの光信号に分離して、当該四つの光信号を四つのＲＯＳＡ  １４に提供することができる。
【００２８】
ＴＯＳＡ  １２及びＲＯＳＡ  １４は、回路基板１６に電気的に接続されている。より詳細には、ＴＯＳＡ  １２及びＲＯＳＡ  １４は、回路基板１６の前方側の端部に接続され得る。回路基板１６は、後方側の端部にカードエッジコネクタを有し得る。このカードエッジコネクタは、プラグコネクタ３０のソケットに挿入され、プラグコネクタ３０の電気コネクタに電気的に接続される。このプラグコネクタ３０の電気コネクタは、ホストシステムの電気コネクタソケットに接続される。
【００２９】
プラグコネクタ３０は、一対のプラグホルダ３２を介してハウジング２０に対して固定されている。ハウジング２０は、ＴＯＳＡ  １２、ＲＯＳＡ  １４、回路基板１６といった光トランシーバの部品を覆うように設けられている。図１及び図２に示すように、ハウジング２０は、第１のハウジング部４８及び第２のハウジング部５０を含んでいる。ハウジング２０は、第１のハウジング部４８及び第２のハウジング部５０が互いに組み合わされることによって構成される。第１のハウジング部４８及び第２のハウジング部５０は、上下方向（第３の方向、Ｚ方向）に互いに分離可能である。第１のハウジング部４８は、回路基板１６をその一方の基板面側から覆うように設けられ、第２のハウジング部５０は、回路基板１６をその他方の基板面側から覆うように設けられる。第１のハウジング部４８及び第２のハウジング部５０は、金属製の部材である。第１のハウジング部４８及び第２のハウジング部５０は、例えば、Ｎｉメッキを施したアルミ製の部材であってもよい。
【００３０】
図３は、図１に示す光トランシーバから第２のハウジング部及びフロントカバーを取り除いた状態を示す斜視図である。図４は、一実施形態に係る第１のハウジング部の斜視図である。図５は、一実施形態に係る第１のハウジング部の一部を前方から見た平面図である。
【００３１】
図４に示すように、第１のハウジング部４８は、前方から後方へ順に、第１の領域Ｒ１、第２の領域Ｒ２、及び第３の領域Ｒ３を画成している。第１の領域Ｒ１は、第２の方向（幅方向、Ｙ方向）における中央部分に、光レセプタクルを搭載するための光レセプタクル搭載領域Ｒ４を含んでいる。第３の領域Ｒ３は、回路基板１６を搭載するための回路基板搭載領域として用いられる。また、第３の領域Ｒ３には、回路基板１６と第１のハウジング部４８との間に、リアトレイ４０が搭載される。
【００３２】
図３に示すように、第１の領域Ｒ１において光レセプタクル搭載領域Ｒ４の両脇の部分には、光マルチプレクサ２６、光デマルチプレクサ２８がそれぞれ搭載されている。より詳細には、光マルチプレクサ２６は、光レセプタクル搭載領域Ｒ４に対して送信側に搭載されている、光デマルチプレクサ２８は、光レセプタクル搭載領域Ｒ４に対して受信側に搭載されている。また、第２の領域Ｒ２には、第１の方向（Ｘ方向）において前方側から順に、フロントトレイ３８、コネクタ４２、及び、ホルダ４４が搭載される。なお、フロントトレイ３８及びホルダ４４は、第１のハウジング部４８に対して、ねじ等により固定され得る。
【００３３】
光マルチプレクサ２６は、四つのＴＯＳＡ  １２からの光信号を多重化する部品である。光マルチプレクサ２６は、当該光マルチプレクサ２６と四つのＴＯＳＡ  １２とを接続する四つの第１の光ファイバＦ１、及び、光マルチプレクサ２６と光レセプタクルとの間を接続する第２の光ファイバＦ２とを備えている（図２参照）。この第２の光ファイバＦ２の先端には、スリーブが設けられている。
【００３４】
第１の光ファイバＦ１は、第１のハウジング部４８の送信側の底面に形成された溝ＧＦ１を通って、第３の領域Ｒ３においてリアトレイ４０によって案内されることにより受信側へ向かい、その後、前方へ向かい、更にフロントトレイ３８によって案内されて送信側へ向かい、更に後方へ向かい、対応のコネクタ４２へ配線される。そして、第１の光ファイバＦ１は、コネクタ４２によってその先端部を保持される。
【００３５】
第２の光ファイバＦ２は、溝ＧＦ１を通り、第３の領域Ｒ３においてリアトレイ４０によって案内されることにより受信側へ向かい、その後、前方側へ向かい、第１のハウジング部４８の送信側の底面に形成された溝ＧＦ２又は溝ＧＦ３を通って、光レセプタクル搭載領域Ｒ４へ配線される。
【００３６】
溝ＧＦ１及びリアトレイ４０、並びに、溝ＧＦ３又はＧＦ２によって案内された第１の光ファイバＦ１及び第２の光ファイバＦ２は、フロントトレイ３８、コネクタ４２、ホルダ４４、及び回路基板１６と第１のハウジング部４８との間に位置する。したがって、第１の光ファイバＦ１及び第２の光ファイバＦ２の第１のハウジング部４８からの浮き上がりが防止される。
【００３７】
光デマルチプレクサ２８は、光コネクタプラグからの多重化光信号を複数の光信号に分離し、当該複数の光信号を対応のＲＯＳＡ  １４に提供する部品である。光デマルチプレクサ２８は、当該光デマルチプレクサ２８と四つのＲＯＳＡ  １４とを接続する四つの第３の光ファイバＦ３、及び、当該デマルチプレクサ２８と光レセプタクルとの間を接続する第４の光ファイバＦ４とを有している。
【００３８】
第３の光ファイバＦ３は、第１のハウジング部４８の受信側の底面に形成された溝ＧＦ４を通って、第３の領域Ｒ３においてリアトレイ４０によって案内されることにより送信側へ向かい、その後、前方側へ向かい、更にフロントトレイ３８によって案内されて受信側へ向かい、更に後方へ向かい、対応のコネクタ４２へ配線される。そして、第３の光ファイバＦ３は、コネクタ４２によってその先端部を保持される。
【００３９】
また、第４の光ファイバＦ４は、溝ＧＦ４を通り、第３の領域Ｒ３においてリアトレイ４０によって案内されることにより送信側へ向かい、その後、前方側へ向かい、更に第１のハウジング部４８の底面に設けられた溝ＧＦ５又は溝ＧＦ６を通って、光レセプタクル搭載領域Ｒ４へ配線される。
【００４０】
溝ＧＦ４及びリアトレイ４０、並びに、溝ＧＦ５又はＧＦ６によって案内された第３の光ファイバＦ３及び第４の光ファイバＦ４は、フロントトレイ３８、コネクタ４２、ホルダ４４、及び回路基板１６と第１のハウジング部４８との間に位置する。したがって、第３の光ファイバ及び第４の光ファイバの第１のハウジング部４８からの浮き上がりが防止される。
【００４１】
光トランシーバ１０では、コネクタ４２は前後方向に移動可能なようにフロントトレイ３８に係合されている。また、ＴＯＳＡ  １２及びＲＯＳＡ  １４は、ホルダ４４によって保持されている。この光トランシーバ１０では、コネクタ４２が後方へ移動し当該コネクタ４２がホルダ４４と係合することによって、第１の光ファイバＦ１とＴＯＳＡ  １２が光学的に結合され、第３の光ファイバＦ３とＲＯＳＡ  １４とが光学的に結合される。
【００４２】
図４及び図５に示すように、第１のハウジング部４８は、光レセプタクル搭載領域Ｒ４を画成する第１の壁Ｗ１を含んでいる。第１の壁Ｗ１は、第１の方向に交差する面に沿って延在しており、後方側から光レセプタクル搭載領域Ｒ４を画成している。
【００４３】
第１の壁Ｗ１には、一対の第１の溝ＧＳ１、及び一対の第２の溝ＧＳ２が形成されている。第１の溝ＧＳ１間のピッチは、溝ＧＦ２と溝ＧＦ５の間のピッチと略同一である。また、第１の溝ＧＳ１の一方と溝ＧＦ２は、第１の方向に延びる直線に沿って設けられている。また、第１の溝ＧＳ２の他方と溝ＧＦ５は、第１の方向に延びる別の直線に沿って設けられている。
【００４４】
さらに、第２の溝ＧＳ２間のピッチは、溝ＧＦ３と溝ＧＦ６の間のピッチと略同一である。また、第２の溝ＧＳ２の一方と溝ＧＦ３は、第１の方向に延びる直線に沿って設けられている。また、第２の溝ＧＳ２の他方と溝ＧＦ６は、第１の方向に延びる別の直線に沿って設けられている。
【００４５】
一実施形態においては、第１のハウジング部４８は、更に、光レセプタクル搭載領域Ｒ４を第２の方向における両側から画成する一対の第２の壁Ｗ２を含み得る。第２の壁Ｗ２のそれぞれには、溝ＧＲが形成されている。
【００４６】
かかる第１の壁Ｗ１及び第２の壁Ｗ２によって画成される光レセプタクル搭載領域Ｒ４には、上述したように、光レセプタクルが搭載される。
【００４７】
図６は、一実施形態に係る光レセプタクルアセンブリを示す斜視図である。図６の（ａ）には、光レセプタクルアセンブリ１８を後方から見た斜視図が示されており、図６の（ｂ）には、光レセプタクルアセンブリ１８を前方から見た斜視図が示されている。図６に示すように、光レセプタクルアセンブリ１８は、光レセプタクル５２、シールドシート２２、及びスリーブ５４を含んでいる。
【００４８】
図７は、一実施形態に係るスリーブの斜視図である。図６及び図７に示すように、スリーブ５４は、光ファイバＦ２及びＦ４の先端に設けられた部材である。スリーブ５４は、例えば、金属製である。スリーブ５４は、第１の方向に延びる筒状をなしている。スリーブ５４は、その内孔に、光ファイバＦ２及びＦ４の先端を保持したスタブを有している。スリーブ５４は、外部からの光コネクタプラグとＴＯＳＡ  １２及びＲＯＳＡ  １４を光学的に結合する。より詳細には、外部からの光コネクタプラグのフェルールがスリーブの内孔に受容されることによって、当該フェルールに保持された光ファイバと光ファイバＦ２又はＦ４が光学的に結合される。これにより、光コネクタプラグとＴＯＳＡ  １２及びＲＯＳＡ  １４が光学的に結合される。
【００４９】
図７に示すように、スリーブ５４は、前側から順に第１の部分５４ａ、フランジ５４ｂ、及び第２の部分５４ｃを有している。フランジ５４ｂは、第１の部分５４ａの径及び第２の部分５４ｃより大径の部分である。
【００５０】
図８は、一実施形態に係る光レセプタクル及びシールドシートの斜視図である。光レセプタクル５２は、樹脂製の部品である。図６及び図８に示すように、光レセプタクル５２は、光コネクタプラグ及びスリーブ５４の第１の部分５４ａを結合するための二つの空間を画成している。光レセプタクル５２は、これら空間を画成する複数の壁を有している。とりわけ、光レセプタクル５２は、第１の方向に交差する後壁部５２ａを含んでいる。
【００５１】
後壁部５２ａには、スリーブ５４のフランジ５４ｂの前方側の面が当接する。一実施形態においては、後壁部５２ａには、上述した空間に通じる二つの孔５２ｅが形成されている。また、後壁部５２ａには、これら孔５２ｅの周囲において、フランジ５４ｂが嵌り込む凹部５２ｆが形成されている。フランジ５４ｂの第１の方向における前方側の部分は、これら凹部５２ｆ内に嵌り込んでいる。
【００５２】
かかる後壁部５２ａには、シールドシート２２が取り付けられている。シールドシート２２は、導電性及び弾性を有するシート状の部材である。シールドシート２２は、例えば、導電性不織布であってもよい。
【００５３】
このように構成された光レセプタクルアセンブリ１８は、図９に示すように、光レセプタクル搭載領域Ｒ４に搭載される。より詳細には、スリーブ５４の第２の部分５４ｃが溝ＧＳ１を通り、光レセプタクル５２が光レセプタクル搭載領域Ｒ４に搭載される。なお、この例における光レセプタクル５２は、ＳＣ型の光コネクタプラグをラッチすることが可能なＳＣ型の光レセプタクルである。
【００５４】
光トランシーバ１０では、シールドシート２２は、光レセプタクル５２の後壁部５２ａと第１のハウジング部４８の第１の壁Ｗ１との間に狭持される。より詳細には、図１及び図２に示すように、第１のハウジング部４８の前端壁にフロントカバー２４がねじ６０を用いて取り付けられることにより、光レセプタクル５２が第１の壁Ｗ１に向けて押圧される。これにより、シールドシート２２は、光レセプタクル５２の後壁部５２ａと第１のハウジング部４８の第１の壁Ｗ１との間に狭持される。
【００５５】
図１０は、一実施形態に係るフロントカバーの斜視図である。図１０に示すように、フロントカバー２４には、光レセプタクル５２の上述した空間の開口端を露出させるための、ポート（開口）２４ａが形成されている。また、フロントカバー２４には、ねじ６０を通すための孔２４ｂ、及び、ねじ４６を通すための孔２４ｃが形成されている。さらに、フロントカバー２４は、光レセプタクル５２を第１の壁Ｗ１に向けて押圧するための押圧部２４ｄを有している。
【００５６】
一実施形態においては、図１０に示すように、押圧部２４ｄは、後方へ延びる一対の爪であってもよく、ポート２４ａの両脇に設けられていてもよい。一方、光レセプタクル５２の両側壁部５２ｂは、図６に示すように、爪２４ｄの先端が当接する面５２ｄを有し得る。この場合には、面５２ｄに爪２４ｄの先端が当接することによって、光レセプタクル５２が第１の壁Ｗ１に向けて押圧される。
【００５７】
これにより、第１のハウジング部４８の壁Ｗ１にフランジ５４ｂの後方側の面が当接し、また、シールドシート２２が、光レセプタクル５２の後壁部５２ａと第１のハウジング部４８の第１の壁Ｗ１との間に狭持される。その結果、第１のハウジング部４８と光レセプタクルアセンブリ１８との間の間隙の発生が導電性のシールドシート２２により低減され、当該間隙を介した電磁波の漏洩が低減される。
【００５８】
一実施形態においては、図８に示すように、シールドシート２２には、フランジ５４ｂが挿入される孔２２ａが形成されている。フランジ５４ｂが挿入される前の状態においては、これら孔２２ａの径は、フランジ５４ｂの径より小さくなっている。これにより、シールドシート２２は、当該シールドシート２２とフランジ５４ｂとの間の間隙の発生を低減するようになっている。その結果、当該間隙を介した電磁波の漏洩が低減される。
【００５９】
一実施形態においては、図６に示すように、光レセプタクル５２は、一対の押圧部５２ｃを更に有していてもよい。一対の押圧部５２ｃは、一対の側壁部５２ｂに支持されている。一実施形態においては、図６に示すように、押圧部５２ｃは、第２の方向に延びる軸線中心に揺動又は枢動可能に側壁部５２ｂに支持されたバネ構造を有し得る。
【００６０】
これに対応して、図９に示すように第１のハウジング部４８の一対の第２の壁Ｗ２には、溝ＧＲがそれぞれ形成されている。押圧部５２ｃは、溝ＧＲに挿入されることにより、溝ＧＲを画成する第２の壁Ｗ２の面に当接して、当該面により後方へ付勢される。これにより、押圧部５２ｃは、光レセプタクル５２を第１の壁Ｗ１に向けて押圧する力を発揮する。その結果、光レセプタクルアセンブリ１８を第１のハウジング部４８上に搭載すると、光レセプタクル５２は押圧部５２ｃによって発揮される力によって、仮固定される。したがって、光レセプタクル５２を組み付けた第１のハウジング部４８のハンドリングが容易になる。
【００６１】
また、図８に示すように、光レセプタクル５２の後壁部５２ａは、孔５２ｅ及び凹部５２ｆの周囲において後方へ隆起する隆起部５２ｇを有している。隆起部５２ｇにより、シールドシート２２が、光レセプタクル５２の後壁部５２ａ及び第１のハウジング部４８の第１の壁Ｗ１に対してより強固に密着するようになる。
【００６２】
次に、図１１〜１３及び図４を参照する。図１１は、一実施形態に係る第２のハウジング部及びガスケットの斜視図である。図１２は、一実施形態に係る光トランシーバの前方側の部分を第２のハウジング部を取り除いて示す平面図である。図１３は、図１のＸＩＩＩ−ＸＩＩＩ線に沿う断面図である。
【００６３】
図１１に示す第２のハウジング部５０は、第１のハウジング部４８と共にハウジング２０を構成する部品である。第２のハウジング部５０は、第１のハウジング部４８と共に、第１の領域Ｒ１、第２の領域Ｒ２、及び第３の領域Ｒ３を画成する。また、第２のハウジング部５０は、第１のハウジング部４８と共に、光レセプタクル搭載領域Ｒ４を画成する。
【００６４】
図１１に示すように第２のハウジング部５０は、第１の方向及び第２の方向に延びる主要部５０ａを含んでいる。一実施形態においては、主要部５０ａには、当該主要部５０ａの周縁に沿ってガスケット３４が取り付けられている。ガスケット３４は、弾性と導電性を有する部材であり、例えば、表面に金属メッキを施したゴムチューブや、あるいは導電性の材料を配合したゴム製のチューブであってもよい。
【００６５】
図１１に示す形態では、ガスケット３４は、第１の領域Ｒ１、第２の領域Ｒ２、及び第３の領域Ｒ３の第２の方向における両縁、並びに、光レセプタクル搭載領域Ｒ４の第２の方向における両縁及び後縁を通るように設けられている。また、一実施形態においては、図１１に示すように、第２のハウジング部５０は、第３の方向に突き出した複数のボス５０ｂを有し得る。複数のボス５０ｂは、ガスケット３４が通る経路に沿って設けられ得る。これらボス５０ｂにより、ガスケット３４を取り付けた第２のハウジング部５０のハンドリングが容易になる。
【００６６】
第１のハウジング部４８と第２のハウジング部５０が互いに組み付けられると、ガスケット３４は、第１のハウジング部４８と第２のハウジング部５０との間に狭持される。この状態においては、図１２に示すように、ガスケット３４は光レセプタクル搭載領域Ｒ４の周囲を取り囲む経路上に位置する。また、図１３に示すように、ガスケット３４は、光レセプタクル搭載領域Ｒ４の後側においては、シールドシート２２に接触する。これにより、光レセプタクル搭載領域Ｒ４とハウジング２０によって画成される他の領域との間においてより優れた電磁シールド性能がもたらされる。
【００６７】
また、一実形態においては、図４に示すように、第１のハウジング部４８は、第３の領域Ｒ３の両縁部に溝ＧＧを提供し得る。溝ＧＧには、一対のガスケット３６が搭載され得る。一対のガスケット３６は、導電性及び弾性を有する部材であってもよく、例えば、表面に金属メッキを施したゴムチューブや、あるいは導電性の材料を配合したゴム製のチューブであってもよい。かかる構成においては、回路基板１６の両縁部においては、一方側の基板面においてガスケット３４が接触し、他方側の基板面においてガスケット３６が接触する。即ち、回路基板１６は、ガスケット３４及び３６を介して第１のハウジング部４８及び第２のハウジング部５０によって狭持され、支持される。かかる構成においては、回路基板１６の両縁部において双方の基板面にグランドパターンを設け、且つ、グランドパターン間をヴィア電極によって接続してもよい。この場合には、ハウジング２０に電気的に接続するグレームグランドが回路基板１６に与えられる。
【００６８】
以下、図１４を参照する。図１４は、一実施形態の光トランシーバに搭載し得る別の光レセプタクルアセンブリを示す斜視図である。光トランシーバ１０には、上述したＳＣ型の光レセプタクルを有する光レセプタクルアセンブリに代えて、図１４に示すＬＣ型の光レセプタルを有する光レセプタクルアセンブリ１８を搭載してもよい。ＬＣ型の光レセプタルは、ＬＣ型の光コネクタプラグをラッチすることができる。
【００６９】
ＬＣ型の光コネクタプラグにおける二つの光ファイバ間のピッチは、ＳＣ型の光コネクタプラグにおける二つの光ファイバ間のピッチより狭い。したがって、ＬＣ型の光レセプタクル５２における二つの空間（スリーブ５４と光コネクタを受容する空間）のピッチは、ＳＣ型の光レセプタクルの二つの空間のピッチより狭い。同様に、ＬＣ型の光レセプタクル５２に装着される二つのスリーブ５４間のピッチは、ＳＣ型の光レセプタクル５２に装着される二つのスリーブ５４間のピッチより狭い。
【００７０】
本光トランシーバ１０では、第１のハウジング部４８の第１の壁Ｗ１に、ＳＣ型の光レセプタクル５２に装着された二つのスリーブ５４の第２の部分５４ｃが通る二つの第１の溝ＧＳ１が形成されている。また、第１のハウジング部４８には、ＳＣ型の光レセプタクル５２に装着された二つのスリーブ５４から延びる光ファイバＦ２及びＦ４を通すための溝ＧＦ２及びＧＦ５が形成されている。また、第１の溝ＧＳ１の一方と溝ＧＦ２は、第１の方向に延びる直線に沿って設けられており、第１の溝ＧＳ１の他方と溝ＧＦ５は、第１の方向に延びる直線に沿って設けられている。
【００７１】
さらに、第１の壁Ｗ１には、ＬＣ型の光レセプタクル５２に装着された二つのスリーブ５４の第２の部分５４ｃが通る二つの第２の溝ＧＳ２が形成されている。また、第１のハウジング部４８には、ＬＣ型の光レセプタクル５２に装着された二つのスリーブ５４から延びる光ファイバＦ２及びＦ４を通すための溝ＧＦ３及びＧＦ６が形成されている。また、第２の溝ＧＳ２の一方と溝ＧＦ３は、第１の方向に延びる直線に沿って設けられており、第２の溝ＧＳ２の他方と溝ＧＦ６は、第１の方向に延びる直線に沿って設けられている。
【００７２】
したがって、ＬＣ型の光レセプタクルとＳＣ型の光レセプタクルのいずれを選択した場合でも、光ファイバに無理な曲げを生じることなく、第１のハウジング部４８の溝内に光ファイバＦ２及びＦ４を収容することができる。
【００７３】
以上、本発明の実施形態に係る光トランシーバについて説明したが、本発明は上述した実施形態に限定されることなく種々の変形が可能である。図１５及び図１６は、別の実施形態に係る光レセプタクルを示す斜視図である。図１５及び図１６に示す光レセプタクル５２Ａは、押圧部５２ｃと隆起部５２ｇの構成において、光レセプタクル５２と異なっている。
【００７４】
光レセプタクル５２Ａでは、押圧部５２ｃは、溝ＧＲ内に収容されると、当該溝ＧＲを画成する面に当接して変形し得る形状を有している。具体的に、押圧部５２ｃは、前方側に向かうにつれて幅が狭くなる形状部を含んでいる。この場合には、押圧部５２ｃが溝ＧＲ内に収容されると、上記形状部の先端が溝ＧＲを画成する面に当接して潰れることによって、光レセプタクル５２Ａを第１の壁Ｗ１に向けて押圧する力が発生される。
【００７５】
また、光レセプタクル５２Ａでは、隆起部５２ｇとして、複数の突起が、孔５２ｅ及び凹部５２ｆの周囲に設けられている。
【００７６】
さらに、光レセプタクル５２Ａでは、複数の微小突起５２ｈが、当該光レセプタクル５２Ａの上下壁部に設けられている。第１のハウジング部４８と第２のハウジング部５０との間に光レセプタクル５２Ａが狭持されると、これら微小突起５２ｈが潰れることによって、光レセプタクル５２Ａが、第１のハウジング部４８と第２のハウジング部５０との間により強固に狭持されることとなる。
【００７７】
図１７は、別の実施形態に係る光レセプタクルの前方側の部分を、第２のハウジング部を取り除いて示す平面図である。図１７に示すように、一対の溝ＧＲは、第１の方向において互いに異なる位置に設けられていてもよい。また、これに対応して、一対の押圧部５２ｃは、第１の方向において互いに異なる位置に設けられていてもよい。かかる構成によれば、光レセプタクル５２を第１のハウジング部４８に搭載する方向の誤りを防止することができる。
【００７８】
図１８は、別の実施形態に係るシールドシートを示す側面図である。図１８に示すように、シールドシート２２は、ゴム製のシート２２ｂと導電性を有するシート２２ｃとを重ね合わせることにより構成されていてもよい。この場合には、シート２２ｃが第１の壁Ｗ１に当接するように、シールドシート２２は光レセプタプクルに取り付けられる。
【符号の説明】
【００７９】
１０…光トランシーバ、１２…光送信サブアセンブリ（ＴＯＳＡ）、１４…光受信サブアセンブリ（ＲＯＳＡ）、１６…回路基板、１８…光レセプタクルアセンブリ、２０…ハウジング、２２…シールドシート、２４…フロントカバー、２４ｄ…押圧部、２６…光マルチプレクサ、２８…光デマルチプレクサ、３０…プラグコネクタ、３２…プラグホルダ、３４…ガスケット、３６…ガスケット、３８…フロントトレイ、４０…リアトレイ、４２…コネクタ、４４…ホルダ、４８…第１のハウジング部、５０…第２のハウジング部、５２…光レセプタクル、５２ａ…後壁部、５２ｂ…側壁部、５２ｃ…押圧部、５２ｅ…孔、５２ｆ…凹部、５２ｇ…隆起部、５４…スリーブ、５４ａ…第１の部分、５４ｂ…フランジ、５４ｃ…第２の部分、ＧＲ…溝（押圧部５２ｃが挿入される溝）、ＧＳ１…溝（ＳＣ型光レセプタクルアセンブリのスリーブ用の溝）、ＧＳ２…溝（ＬＣ型光レセプタクルアセンブリのスリーブ用の溝）、Ｗ１…第１の壁、Ｗ２…第２の壁。
【図１】
0005471787.tif 000002
【図２】
0005471787.tif 000003
【図３】
0005471787.tif 000004
【図４】
0005471787.tif 000005
【図５】
0005471787.tif 000006
【図６】
0005471787.tif 000007
【図７】
0005471787.tif 000008
【図８】
0005471787.tif 000009
【図９】
0005471787.tif 000010
【図１０】
0005471787.tif 000011
【図１１】
0005471787.tif 000012
【図１２】
0005471787.tif 000013
【図１３】
0005471787.tif 000014
【図１４】
0005471787.tif 000015
【図１５】
0005471787.tif 000016
【図１６】
0005471787.tif 000017
【図１７】
0005471787.tif 000018
【図１８】
0005471787.tif 000019